(57)【要約】      （修正有）【課題】板面品質の低い合板を利用した新たな古材風化粧合板を提案し、これを安価に且つ安定的に供給することにより、旺盛な古材需要を補うと共に、間伐材からなる合板の新たな用途を開拓し、当該合板の需要を刺激することにある。【解決手段】古材風化粧合板１は、日本農林規格で定められた構造用合板の板面品質基準Ｃ又はＤに合致する板面２０を有する合板２を基材とし、古材を撮像して得られた画像データ又は当該撮像画像を編集して得られた画像データを使用して、板面に対して古材画像を印刷したものである。【選択図】図１
0003200460.tif 000002
【実用新案登録請求の範囲】
【請求項１】
日本農林規格で定められた構造用合板の板面品質基準Ｃ又はＤに合致する板面を有する合板を基材とし、古材を撮像して得られた画像データ又は当該撮像画像を編集して得られた画像データを使用して、前記板面に対して古材画像を印刷したことを特徴とする古材風化粧合板。
【請求項２】
前記古材画像は前記板面に対してインクジェット印刷されていることを特徴とする請求項１記載の古材風化粧板。
【請求項３】
異なる古材画像を印刷した複数枚の請求項１記載の古材風化粧板を不規則に組み合わせて所定面積の化粧合板としたことを特徴とする化粧合板ユニット。
【考案の詳細な説明】
【技術分野】
【０００１】
本考案は、店舗や住宅の壁面や床面、インテリアなどに利用することができ、古材の風合いを有する化粧合板に関するものである。
【背景技術】
【０００２】
店舗や住宅の壁面や床面の装飾、あるいはインテリアに使用する内装用木材として、古材には需要があり、近年はその人気も高まってきている。ここで、古材とは、過去に建築された家屋やフェンスを解体した際に発生した木材であり、時経過と共に備わった独特の風合いが魅力となっている。独特の風合いとしては、深みのある色、表面のひび割れやささくれが挙げられる。また、塗装されていた木材であれば、塗装の剥がれ具合も独特の風合いとなっている。
【０００３】
嗜好の多様化に伴い内装用木材としての古材の需要は高まりつつあるが、需要に対しての供給が安定しないといった課題がある。古材の供給源は古い家屋等であり、市場に流通する古材の量は限られてしまい、必要なタイミングで必要な量の古材を手に入れられるとは限らない。このため、販売価格も不安定である。また、古材を販売するにあたっては、汚れの洗浄や釘抜き等の作業が必要となり、管理に手間がかかるといった課題もある。
【０００４】
近年では内装材としての古材の供給を補うものとして、古材風に仕上げた新品木材が製造販売されている。具体的には、新しい木材の表面を意図的に荒く製材して古材に模したひび割れやささくれを形成し、かかる表面に対して古材の木目、質感、濃淡等を再現した特殊コーティングを施すことで、新品木材を古材風に仕上げている。
【０００５】
新品木材の表面に任意の木目や色を与えた木質化粧板は従来から種々提案されており、例えば、特許文献１は漂白処理した木質基材の表面に木目画像を印刷した木質化粧板を開示している。また、特許文献２は、木質基材の表面に広葉樹の導管組織模様を模した凹部を形成し、その後に当該表面を着色した木質化粧板を開示している。
【０００６】
一方、近年では国産の木材資源として間伐材の有効利用が積極的に行われている。間伐は、スギやヒノキなどの針葉樹からなる混みあった人工林の中から一定割合で樹木を間引く作業であり、樹木の生長を促進すると共に下生えの発生を促し、水源涵養力、土壌保全能力の高い森林を作り出すために必要な作業である。また、スギ花粉の発生源対策としても間伐は重要な作業である。
【０００７】
間伐事業を促進するために、国は間伐材を利用した合板の生産設備に対して補助金を投入しており、近年は国産合板の生産量が著しく増加している。その反面、間伐材を原料とする合板は、当該間伐材の性質上、形状の反りやねじれ、板面の抜け節等を伴うので意匠性が低く、また、間伐材の殆どは小径であることから、木目を活かして利用することが難しいといった特質がある。このため、間伐材を利用した合板はそのままでは内装用木材としては適さないものであり、建築下地や構造材として使用されることが殆どであって、その取引価格も生産コストに見合うものではなかった。
【０００８】
しかし、現在のわが国は少子高齢化が加速しており、住宅着工件数の継続的減少が懸念されることから、建築下地や構造材としての合板の需要は今後減少していくことが予想され、間伐材を利用した合板の新たな用途の創出が重要になってきている。
【先行技術文献】
【特許文献】
【０００９】
【特許文献１】特開２００５−１２５７１１号公報
【特許文献２】特開平１０−１９３３０３号公報
【考案の概要】
【考案が解決しようとする課題】
【００１０】
本考案はこのような課題に鑑みてなされたものであり、その目的とするところは、板面品質の低い合板を利用した新たな古材風化粧合板を提案し、これを安価に且つ安定的に供給することにより、旺盛な古材需要を補うことにある。
【００１１】
また、本考案の他の目的は、間伐材からなる合板の新たな用途を開拓し、当該合板の需要を刺激することにある。
【課題を解決するための手段】
【００１２】
前記目的を達成するために、本考案の古材風化粧合板は、日本農林規格で定められた構造用合板の板面品質基準Ｃ又はＤに合致する板面を有する合板を基材とし、古材を撮像して得られた画像データ又は当該撮像画像を編集して得られた画像データを使用して、前記板面に対して古材画像を印刷したものである。
【考案の効果】
【００１３】
本考案によれば、板面品質の低い合板に対して古材を撮像して得られた画像データを基にした古材画像を印刷しているので、新品木材の表面に木目等の画像を印刷する場合と比較して、板面のひび割れや凹凸が実際の古材に近いものとなり、古材の風合いをより忠実に再現することが可能となる他、わざわざ新品木材の表面を凹凸加工してから画像を編集印刷する手間がなく、古材の風合いを有する化粧合板を安価に且つ簡便に生産することが可能となる。
【００１４】
また、間伐材から生産された板面品質の低い合板を利用して古材の風合いを再現しているので、古材風の化粧板を安価に且つ安定的に市場へ供給することが可能となる。
【００１５】
更に、表面の意匠性が低くて建築下地や構造材としての使用が殆どであった間伐材からなる合板に新たな用途を開拓することができ、当該合板の需要を刺激して、間伐事業に資することが可能となる。
【図面の簡単な説明】
【００１６】
【図１】本考案を適用した古材風化粧合板を示す斜視図である。
【図２】合板の表面に画像を編集印刷する手法の一例を示す模式図である。
【図３】本考案を適用した古材風化粧合板の表面を示す写真である。
【図４】本考案の古材風化粧合板を組み合わせてモザイクを構成した化粧合板ユニットの一例を示す写真である。
【考案を実施するための形態】
【００１７】
以下、添付図面を用いながら本考案を適用した古材風化粧合板及びこれを利用した化粧合板ユニットの実施形態を詳細に説明する。
【００１８】
図１は本考案を適用した古材風化粧合板を示す模式図である。この化粧合板１は基材となる合板２の板面２０に古材を撮像して得られた画像３を印刷し、一見すると古材と見間違う風合いに当該合板２を仕上げたものである。
【００１９】
基材となる合板２は新品木材から生産されたものを使用する。但し、古材の風合いをより忠実に醸し出すためには、画像が印刷される板面２０は平滑ではなく、細かなひび割れやささくれ等が存在していることが重要である。具体的には、日本農林規格（ＪＡＳ）で定められた構造用合板の板面品質基準Ｃ又はＤに合致した板面を有する合板を前記基材として使用し、当該板面に対して画像を印刷する。前記基準を満たす板面を備えた合板であれば、合板の種類は問わない。
【００２０】
もっとも、本考案の古材風化粧合板を安価に生産するといった観点からすれば、安価に入手可能な市販の合板を利用することが好ましく、例えば、間伐材を利用した構造用合板を使用すると良い。この種の構造用合板は下地材として多用されるために意匠は重要ではなく、殆どの構造用合板において板面品質は表面Ｃ、裏面Ｄとなっている。
【００２１】
前記品質基準Ｃよりも品質基準Ｄの方が板面は荒れているが、実際に考案者が画像を印刷してみたところ、品質基準Ｃの板面よりも品質基準Ｄの板面に画像を編集印刷した場合の方がより時経過の進んだ古材風の仕上がりとなった。
【００２２】
前記合板２の表面に印刷する画像３は、実際の古材を撮像して得られた画像データに基づいている。すなわち、実際の古材の表面をスキャナー、カメラ等のイメージ入力装置を用いて撮像し、当該撮像で得られた画像データを用いて前記画像３を印刷する。印刷には撮像によって得られた画像データをそのまま用いても良いし、当該画像データを編集した画像データであってもよい。撮像する古材は無垢材が経年変化したものであっても良いし、表面の塗装が経年変化で剥がれかかったものであっても良い。
【００２３】
前記合板２の板面２０に対する画像の印刷は、例えば図２に示すようにインクジェット印刷装置４を用いて行われる。前記合板２は前記印刷装置内を搬送され、その際にインクジェットヘッド４０が画像データに基づいた画像を前記合板２上に印刷する。インクとしては、例えば紫外線硬化型のものを使用することができ、前記合板２の板面２０に対して当該インクで画像を印刷した後、前記板面２０に対して紫外線を照射すれば、インクが硬化して板面に定着され、本考案の古材風化粧合板１が完成する。
【００２４】
尚、前記板面２０に対する画像の印刷手法は前述のインクジェット印刷に限られるものではなく、例えば前記画像が印刷された転写紙を板面２０に当接させた後に、昇華染色法等によって当該画像を板面２０へ転写するようにしても良い。
【００２５】
図３は本考案の古材風化粧合板の一例を示すモノクロ写真である。この古材風化粧合板１は、板面品質Ｃ−Ｄの構造用合板の裏面に対して、白色塗装が剥げかかった古板材を撮像した画像データに基づいて古材画像を印刷したものである。写真からは、時経過によって強調された古板材の木目と、剥げかかった白色塗装を合板の表面に観察することができるが、これらは画像データから板面に印刷されたものであり、基材としての合板のものではない。印刷した木目と板面本来の木目とは合致しないが、画像の木目と塗装剥げはひび割れやささくれを伴う板面品質Ｄと相性が良く、新品合板でありながら古板材の風合いを醸し出している。
【００２６】
図４は本考案の古材風化粧合板をモザイク状に配列した化粧合板ユニットの一部を示す写真である。本考案の古材風化粧合板は室内の壁や天井、床等の内装材として有用であるが、例えば複数枚の化粧合板を組み合わせて所定面積の壁面を覆う場合に、すべての化粧合板に同じ画像を印刷するのではなく、化粧合板一枚毎に異なる画像データから画像を印刷すると、これら化粧合板を組み合わせてモザイク状の壁面を形成することができる。その際、画像データは異なる複数の古材を撮像したものを用いても良いし、一つの古材を撮像した画像データの色味を種々変えて複数の画像データを生成してもよい。
【００２７】
特に本考案では、古材を撮像して得られた画像を特定の板面品質の合板に印刷するのみで古材風化粧合板を生産できるので、個人の嗜好に合わせて画像データを選択、配列し、その内容に合わせて一枚ずつの古材風化粧合板を生産することも容易である。従って、古材の入荷状況、在庫状況に制限されることなく、自由にモザイク状の壁面、すなわち化粧合板ユニットを構築することができる。
【００２８】
以上説明してきたように、本考案の古材風化粧合板では、敢えて板面品質の低い合板に対して古材を撮像して得られた画像を直接印刷することにより、より古材の風合いを忠実に再現することができ、しかも新品板材の表面を荒らす加工を行っていた従来の古材風化粧合板よりも安価に且つ簡便に生産することが可能である。
【００２９】
また、本考案の古材風化粧合板は、従来は下地材などの限られた用途にのみ利用可能だった板面品質の低い合板を用い、当該合板に化粧合板としての新たな用途を見出すものであり、当該合板の需要を刺激することが可能となる他、当該合板の主たる原木である間伐材の消費を促進し、間伐事業の推進、ひいては我が国の森林資源の保護に資することが可能となるものである。
【符号の説明】
【００３０】
１…古材風化粧合板、２…合板（基材）、３…画像、２０…板面
【図１】
0003200460.tif 000003
【図２】
0003200460.tif 000004
【図３】
0003200460.tif 000005
【図４】
0003200460.tif 000006